(57)【要約】【課題】  一方のパネル面に他方のパネル側端を突き合わせて互いに垂直を成して連結するローパーティションのパネル連結構造であって、素人が手軽に任意の位置で連結することが出来ると共に、後で連結位置を自由に変更することも可能なローパーティションの連結構造の提供。【解決手段】  連結手段として用いる連結具１１はアーム部１２とカギ部１３を有す概略カギ形を成し、アーム部１２を上記他方のパネル上桟６及び下桟７にネジ止めし、カギ部１３を一方のパネル上桟６及び下桟７を抱きかかえるように係止すると共に、カギ部先端の底片１８に設けたネジ穴１９にネジを螺合して位置ズレしないように止着している。【選択図】    図２
0003114185.tif 000002
【実用新案登録請求の範囲】
【請求項１】
一方のパネル面に他方のパネル側端を突き合わせて互いに垂直を成して連結するローパーティションのパネル連結構造において、連結手段として用いる連結具はアーム部とカギ部を有す概略カギ形を成し、アーム部を上記他方のパネル上桟及び下桟に位置決めすると共にネジ止めし、カギ部を一方のパネル上桟及び下桟を抱きかかえるように係止すると共に、カギ部先端の底片に設けたネジ穴にネジを螺合して位置ズレしないように止着したことを特徴とするローパーティションのパネル連結構造。
【請求項２】
一方のパネル面に他方のパネル側端を突き合わせて互いに垂直を成して連結するローパーティションのパネル連結構造において、連結手段として用いる連結具は幅広の第１アームと幅狭の第２アームから成るアーム部とＬ形に屈曲したカギ部を有す概略カギ形を成し、上記第２アームは上桟及び下桟の溝に嵌めると共に第１アーム先端に形成した第１係止部を縦桟の上端に設けた両凸部に係止し、又第１アームの下面に形成した第２係止部を一方のパネル上桟及び下桟に係止し、さらに上記アーム部を他方のパネル上桟及び下桟にネジ止めし、カギ部を一方のパネル上桟及び下桟を抱きかかえるように係止すると共に、カギ部先端の底片に設けたネジ穴にネジを螺合して位置ズレしないように止着したことを特徴とするローパーティションのパネル連結構造。
【請求項３】
一方のパネル面に他方のパネル側端を突き合わせて互いに垂直を成して連結するローパーティションのパネル連結具において、該連結具はアーム部とカギ部を有す概略カギ形を成し、アーム部はカギ部側に設けた第１アームと先端側の第２アームから成り、第１アームは幅広として第２アームとの境界に第１係止部を形成し、又第１アームの下面には段差を有す第２係止手段を設けたことを特徴とするローパーティションのパネル連結具。
【請求項４】
上記アーム部を構成する第２アームとしては別部材が用いられ、この第２アームを第１アームの下面に一部重ね合わせた状態で溶接した請求項２記載のローパーティションのパネル連結具。
【考案の詳細な説明】
【技術分野】
【０００１】
本考案は構造が簡単で、素人であっても組立て可能なローパーティションのパネル連結構造に関するものである。
【背景技術】
【０００２】
大きな建物空間を仕切る為に間仕切り装置が多用されている。間仕切り装置にもその形態は色々あるが、一般的には床レールに配置されたアジャスターにて適度な高さに支えられた巾木にパネルが載って配置され、パネル上端は天井レールに嵌って固定され、そしてパネル側端は床レールから垂直に起立するスタッドに止着されている。止着方法はネジ止めであったり、又ツメを介して引掛ける構造と成っている。
【０００３】
そして間仕切り装置によって仕切られた部屋空間の中では、私的な小さな空間を作る為のローパーティションが使用される場合が多い。このローパーティションの形態も、使用目的に応じて多種多様化していると共に、その連結構造は複雑化しているために、素人では組み立てることは出来ない。従って、専門の業者が据付作業を行っているのが一般的である。
【０００４】
特開２０００−２２０２３９号に係る「ローパーティションのパネル連結構造」は、一方のパネル面に対して他方のパネルを垂直に連結する場合、連結部にスタッドを介在することなく、又繋がれる他方のパネル位置を自由に変えることが出来るようにしている。そこで、ポスト上端のカギをパネル上端に係止すると共に、ポスト下端はコ型金具にてパネル下端に止着することでポストを一方のパネルに取着し、そしてポスト正面に形成したスリット溝に他方のパネル側端に設けているツメを係止する。
【０００５】
特開２０００−１３６５８８号に係る「ローパーティションのパネル連結構造」は、一方のパネル面に他方のパネル側端を突き合わせて連結することが出来る構造であり、他方のパネルの位置を自由に変えることが出来る。そこで、笠木の脚を嵌める為に形成した一方のパネル上端の溝にはコ型金具を固定すると共に、金具側片にはネジ穴を設け、他方のパネル上端の溝にはＬ型連結具を固定すると共に、縦片の表面はパネル側端よりも僅かに後退した位置に設け、この縦片からネジを挿通してコ型金具のネジ穴に螺合して締付けられる。
【０００６】
その他にも、特開平１０−３０６５２８号に係る「ローパーティションのパネル連結構造」や特開平１０−２１２７７６号に係る「パネル連結構造」など、色々知られている。しかし、これら従来のローパーティションの構造は比較的簡単であるが素人では据付が容易でなく、そして、パネルの連結に際してパネル面をキズ付けることになり、後日、連結箇所の変更はしにくい。
【特許文献１】特開２０００−２２０２３９号に係る「ローパーティションのパネル連結構造」
【特許文献２】特開２０００−１３６５８８号に係る「ローパーティションのパネル連結構造」
【特許文献３】特開平１０−３０６５２８号に係る「ローパーティションのパネル連結構造」
【特許文献４】特開平１０−２１２７７６号に係る「パネル連結構造」
【考案の開示】
【考案が解決しようとする課題】
【０００７】
このように、従来のローパーティションにおいて、一方のパネル面に他方のパネル側端を突合せるパネル連結形態は色々あるが、全くの素人ではこのパネルを連結することは困難である。本考案が解決しようとする課題はこの問題点であり、素人が手軽に任意の位置で連結することが出来ると共に、後で連結位置を自由に変更することも可能なローパーティションの連結構造、並びに連結手段と成る連結具を提供する。
【課題を解決するための手段】
【０００８】
本考案に係るローパーティションの連結構造は、一方のパネルに対して他方のパネルが垂直を成して連結される。上記パネルは両縦桟と上桟及び下桟が枠組みされた枠体にパネル板が嵌って構成され、その為に枠体の内面には細幅の嵌合溝が形成されている。他方のパネル側端は一方のパネル面に突き合わされた状態で連結具を介して互いに連結される。
【０００９】
ところで、上記連結具は概略カギ形を成し、アーム部の一方端にはＬ形に屈曲したカギ部を形成したものであり、パネルの上端と下端に夫々取付けられて両パネルを垂直に連結する。そこで、アーム部は他方のパネル上端及び下端にネジ止めされ、カギ部は一方にパネルの上桟及び下桟に係止される。該カギ部は上桟及び下桟を抱くように係止されるだけで固定されることはなく、従って、カギ部の係止位置は自由となる。
【００１０】
ここで、上記アーム部はパネルに位置決めされる為に、第１アームと第２アームから成り、細幅の第２アームはパネル上桟及び下桟に形成した溝に嵌り、幅広の第１アームと細幅の第２アームの境界に形成される第１係止部は縦桟上下端に設けた両凸部に係止し、さらに第１アームの下面に形成した第２係止部は一方のパネル上桟及び下桟に係止して位置決めされる。
【考案の効果】
【００１１】
本考案に係るローパーティションのパネル連結構造は、概略カギ形の連結具を用いて互いに垂直をなす両パネルを簡単に連結することが出来る。すなわち、連結具のアーム部を連結されるパネルの上桟及び下桟に正しく位置決めされると共にネジ止めし、Ｌ形に屈曲したカギ部を連結するパネルの上桟及び下桟を抱きかかえるように係止するだけで両パネルの連結が行われる。連結具のカギ部はパネル上桟及び下桟にネジ止めされるが単なる位置ズレ防止用であって、桟にネジ穴を設ける必要はない。従って、上桟及び下桟の自由な位置に係止することが出来るために、垂直を成して連結されるパネル位置の後での変更は自由である。
【実施例】
【００１２】
図１は本考案の連結構造を備えているローパーティションを表している実施例である。このローパーティションは、直線状に配列して連結される複数枚のパネル１ａ，１ｂ，１ｃ，１ｄと、同じく直線状に配列して連結されるパネル２ａ，２ｂ，２ｃから成り、パネル１ａ，１ｂ，１ｃ，１ｄに対してパネル２ａ，２ｂ，２ｃは互いに垂直方向に配列している。すなわち、パネル１ｂの表面にパネル２ａの側端が突き合わされて連結され、該パネル２ｂはパネル２ａと連結し、パネル２ｃはパネル２ｂと連結している。
【００１３】
ローパーティションの形態は色々あるが、同図に示すローパーティションでは、パネル１ａ，１ｂ，１ｃ，１ｄにて仕切られた空間の片方がパネル２ａ，２ｂ，２ｃによってさらに仕切られており、パネル２ａ，２ｂ，２ｃを境として２箇所に打ち合わせ空間が形成されている。ところで、本考案では直線状に配列しているパネル１ａ，１ｂ，１ｃ，１ｄ、及びパネル２ａ，２ｂ，２ｃの連結構造に関しては自由であり、パネル１ｂとパネル２ａとの連結構造を対象としている。
【００１４】
そして、本考案の連結構造では連結具が用いられ、パネル１ｂに対して垂直方向に連結されているパネル２ａの連結箇所は自由に変更することが可能であり、しかも連結に際してパネル１ｂの表面には何らのキズ跡を残さない為に、自由に変えることが可能である。
【００１５】
図２はパネル１ｂとパネル２ａとの連結構造を表している具体例である。ところで、本考案のローパーティションを構成するパネルは図３に示しているように、枠体３にパネル板４を嵌めて構成されている。枠体３は両縦桟５，５、及び上桟６と下桟７が枠組みされ、間には３本の中桟８，８が上下桟６，７と平行を成して両縦桟５，５と連結している。
【００１６】
そして、両縦桟５，５、上下桟６，７、及び中桟８，８にて枠組みされた空間にはパネル板４，４・・が嵌っている。図２に示しているように、各桟には嵌合溝９が形成されてパネル板４の外縁を嵌めている。ここで、パネル板４の材質は自由であり、必要に応じて透明又は半透明の樹脂製板が用いられる。
【００１７】
図４は連結具１１を表す実施例であり、その形状は概略カギ形を構成している。すなわち、水平に延びるアーム部１２とＬ形に屈曲したカギ部１３を有し、アーム部１２は第１アーム１４と第２アーム１５から成っている。第１アーム１４は上記カギ部１３と一体化され、第２アーム１５は第１アーム１４の先端部下面に一部重なって溶接されている。また、第１アーム１４の幅寸法Ｍは第２アーム１５の幅寸法ｍより大きく、その為にアーム部１２には第１係止部１６，１６が第１アーム１４と第２アーム１５との境界に形成される。
【００１８】
そしてアーム部１２の中間部には貫通した穴１７が設けられ、カギ部１３の先端側底片１８にはネジ穴１９が設けられている。同図に示す連結具１１のアーム部１２では第１アーム１４と第２アーム１５とは別部材が用いられ、両部材が溶接された構造と成っている。しかし、該アーム部１２をカギ部１３と共に一体成形することも出来る。
【００１９】
上記第２アーム１５を第１アーム１４の下側に一部重ね合った状態で溶接することで、第１アーム１４の下面との間に第２係止部２０が形成されるが、連結具１１を一枚の金属板から成形する場合にも、上記第２係止部２０が設けられる。そして、該連結具１１は図２に示すように取付けられて、パネル１ｂに対してパネル２ｂが垂直を成して連結される。
【００２０】
アーム部１２はパネル２ａの上桟６及び下桟７に取付けられ、カギ部１３はパネル１ｂの上桟６及び下桟を抱きかかえている。この状態で、第２アーム１５は上桟６及び下桟７の上面に形成している溝２１に嵌り、第１アーム１４の先端両側に形成している第１係止部１６，１６はパネル２ａの縦桟５の上端と下端に突出して設けている凸部２２，２２に係止し、又第２係止部２０はパネル１ｂの上桟６及び下桟７の表面に当っている。
【００２１】
従って、連結具１１はパネル１ｂとパネル２ａに取付けられることで位置決めされ、言い換えれば連結具１１を介して両パネル１ｂ、２ａが互いに垂直を成して位置決めされる。そこで、この状態で連結具１１が外れないようにツマミネジ２３を締付けてアーム部１２、１２をパネル２ａの上桟６及び下桟７に固定し、しかもカギ部１３、１３はツマミネジ２４を締めることでパネル１ｂの上桟６及び下桟７に止着されて位置ズレが防止される。
【図面の簡単な説明】
【００２２】
【図１】本考案に係るローパーティションの外観を示す具体例。
【図２】ローパーティションのパネル連結構造を示す実施例。
【図３】ローパーティションを構成するパネル。
【図４】パネル連結具の実施例。
【符号の説明】
【００２３】
１  パネル
２  パネル
３  枠体
４  パネル板
５  縦桟
６  上桟
７  下桟
８  中桟
９  嵌合溝
11  連結具
12  アーム部
13  カギ部
14  第１アーム
15  第２アーム
16  第１係止部
17  穴
18  底片
19  ネジ穴
20  第２係止部
21  溝
22  凸部
23  ツマミネジ
24  ツマミネジ
【図１】
0003114185.tif 000003
【図２】
0003114185.tif 000004
【図３】
0003114185.tif 000005
【図４】
0003114185.tif 000006